(57)【特許請求の範囲】
【請求項１】
垂直回転軸のまわりに、複数の縦方向のブレードを設け、これら複数のブレードが支持杆を介して垂直回転軸に一体に取り付けられてなるジャイロミル型の垂直軸型風力発電機において、前記支持杆が、動物形状や植物形状等の、表現しようとする造形物の輪郭を表す形状に形成した線状体からなり、該線状体には点灯部材を形成してなり、該線状体及び点灯部材が前記垂直回転軸のまわりを該回転軸と一体回転することによって、該造形物輪郭線状体又は点灯部材が、視覚上、浮き上がり状に立体的造形物のように表れるようにした垂直軸型風力発電機。
【請求項２】
垂直回転軸のまわりに、複数の縦方向のブレードを設け、これら複数のブレードが垂直回転軸から半径方向に湾曲状に張り出してその上下両端部が該回転軸に一体に取り付けられてなるダリウス型の垂直軸型風力発電機において、前記垂直回転軸に動物形状や植物形状等の、表現しようとする造形物の輪郭を表す形状に形成した線状体を一体的に取り付け、該線状体には点灯部材を形成してなり、該線状体及び点灯部材が垂直回転軸のまわりを該回転軸と一体回転することによって、該造形物輪郭線状体又は点灯部材が、視覚上、浮き上がり状に立体的造形物のように表れるようにした垂直軸型風力発電機。
【請求項３】
前記ブレードは、透明材料によって形成されてなる請求項１又は２に記載の垂直軸型風力発電機。
【請求項４】
前記点灯部材は、発光ダイオードによって形成されてなる請求項１乃至３のいずれかに記載の垂直軸型風力発電機。
【請求項５】
請求項１乃至４のいずれかに記載の垂直軸型風力発電機において、前記点灯部材に電力を供給する給電部と、該給電部に電力を供給するコントロール装置と、該コントロール装置に風力発電によって発生した電力を供給する発電機とをさらに備えてなる垂直軸型風力発電機。
【請求項６】
前記コントロール装置は、バッテリーを備えてなる請求項５に記載の垂直軸型風力発電機。
【請求項７】
前記コントロール装置は、前記点灯部材の点灯パターンを変化させることができる出力コントロールを備えてなる請求項５又は６に記載の垂直軸型風力発電機。
【発明の詳細な説明】
【技術分野】
【０００１】
本発明は、ジャイロミル型またはダリウス型と呼ばれる小型風力発電機に関する。
【背景技術】
【０００２】
図１に示すジャイロミル型または図１５に示すダリウス型の小型風力発電機は、従来のプロペラ型風力発電機に比べて騒音もほとんど発生せず、また風向きにあまり影響されずに発電することができ、さらには自然のエネルギーである風を利用するものであるから、地球温暖化の原因である二酸化炭素を排出することもないため、比較的環境の良い場所、例えば公園や学校あるいは住宅区域に設置される街灯の電源としてこの種の小型風力発電機が利用されている。
【０００３】
しかし、上述のように環境の良い場所にこの種小型風力発電機が設置されるが、これらは全て発電のみを目的とした機能面を重視した形態で設置されるため、美観やデザイン性に欠け、環境の良い場所に設置するのに相応しい形態とは言い難いものであった。
【発明の開示】
【発明が解決しようとする課題】
【０００４】
本発明は、上記の点に鑑み、環境の良い場所に設置するのに相応しい形態の風力発電機を提案し、これによって生活環境の一層の向上を図るようにしたものである。
【課題を解決するための手段】
【０００５】
上記課題を解決するための手段を、後述する実施形態の参照符号を付して説明すると、請求項１に係る発明は、垂直回転軸１のまわりに、複数の縦方向のブレード２を設け、これら複数のブレード２が支持杆３を介して垂直回転軸１に一体に取り付けられてなるジャイロミル型の垂直軸型風力発電機において、前記支持杆３が、動物形状や植物形状等の、表現しようとする造形物４の輪郭を表す形状に形成した線状体５からなり、該線状体５には点灯部材６を形成してなり、該線状体５及び点灯部材６が前記垂直回転軸１のまわりを該回転軸１と一体回転することによって、該造形物輪郭線状体５又は点灯部材６が、視覚上、浮き上がり状に立体的造形物７，７´のように表れるようにした垂直軸型風力発電機に係るものである。
【０００６】
請求項２に係る発明は、図１５〜１７に示すように、垂直回転軸１のまわりに、複数の縦方向のブレード２Ａを設け、これら複数のブレード２Ａが垂直回転軸１から半径方向に湾曲状に張り出してその上下両端部が該回転軸１に一体に取り付けられてなるダリウス型の垂直軸型風力発電機において、前記垂直回転軸１に動物形状や植物形状等の、表現しようとする造形物４Ａの輪郭を表す形状に形成した線状体５Ａを一体的に取り付け、該線状体５Ａには点灯部材６Ａを形成してなり、該線状体５Ａ及び点灯部材６Ａが垂直回転軸１のまわりを該回転軸１と一体回転することによって、該造形物輪郭線状体５Ａ又は点灯部材６Ａが、視覚上、浮き上がり状に立体的造形物７Ａ，７Ａ´のように表れるようにした垂直軸型風力発電機に係るものである。
【０００７】
請求項３に係る発明は、前記ブレード２，２Ａは、透明材料によって形成されてなる請求項１又は２に記載の垂直軸型風力発電機に係る。
【０００８】
請求項４に係る発明は、前記点灯部材６，６Ａは、発光ダイオードによって形成されてなる請求項１乃至３のいずれかに記載の垂直軸型風力発電機に係る。
【０００９】
請求項５に係る発明は、請求項１乃至４のいずれかに記載の垂直軸型風力発電機において、前記点灯部材６，６Ａに電力を供給する給電部８と、該給電部８に電力を供給するコントロール装置１５と、該コントロール装置１５に風力発電によって発生した電力を供給する発電機１２とをさらに備えてなる垂直軸型風力発電機に係る。
【００１０】
請求項６に係る発明は、前記コントロール装置１５は、バッテリー１５ｂを備えてなる請求項５に記載の垂直軸型風力発電機に係る。
【００１１】
請求項７に係る発明は、前記コントロール装置１５は、前記点灯部材６，６Ａの点灯パターンを変化させることができる出力コントロール１５ｃを備えてなる請求項５又は６に記載の垂直軸型風力発電機に係る。
【発明の効果】
【００１２】
請求項１に係る発明の垂直軸型風力発電機によれば、垂直回転軸１のまわりに、複数の縦方向のブレード２を設け、これら複数のブレード２が支持杆３を介して垂直回転軸１に一体に取り付けられてなるジャイロミル型の垂直軸型風力発電機において、前記支持杆３が、動物形状や植物形状等の、表現しようとする造形物４の輪郭を表す形状に形成した線状体５からなり、該線状体５には点灯部材６を形成してなり、該線状体５及び点灯部材６が前記垂直回転軸１のまわりを該回転軸１と一体回転することによって、該造形物輪郭線状体５又は点灯部材６が、視覚上、浮き上がり状に立体的造形物７，７´のように表れるようにしたため、当該風力発電機が昼間稼働中には、垂直回転軸１と一体回転する線状体５によって、該線状体５に形成された動物造形物等の造形物４の輪郭が、視覚的に浮き上がって立体的な造形物７として見ることができ、当該風力発電機が夜間稼働中には、垂直回転軸１と一体回転する点灯部材６を点灯させることによって、該点灯部材６に形成された動物造形物等の造形物４の輪郭が、視覚的に浮き上がって立体的な造形物７´として見ることができるから、該風力発電機の全体の美観が向上し、デザイン的に優れた外観を呈し、その設置される付近の環境に造形美を付与し、環境改善に貢献し、環境の良い場所に設置するのに相応しい形態のジャイロミル型の小型風力発電機を提供することができる。
【００１３】
請求項２に係る発明の垂直軸型風力発電機によれば、垂直回転軸１のまわりに、複数の縦方向のブレード２Ａを設け、これら複数のブレード２Ａが垂直回転軸１から半径方向に湾曲状に張り出してその上下両端部が該回転軸１に一体に取り付けられてなるダリウス型の垂直軸型風力発電機において、前記垂直回転軸１に動物形状や植物形状等の、表現しようとする造形物４Ａの輪郭を表す形状に形成した線状体５Ａを一体的に取り付け、該線状体５Ａには点灯部材６Ａを形成してなり、該線状体５Ａ及び点灯部材６Ａが垂直回転軸１のまわりを該回転軸１と一体回転することによって、該造形物輪郭線状体５Ａ又は点灯部材６Ａが、視覚上、浮き上がり状に立体的造形物７Ａ，７Ａ´のように表れるようにしたため、当該風力発電機が昼間稼働中には、垂直回転軸１と一体回転する線状体５Ａによって、該線状体５Ａに形成された動物造形物等の造形物４Ａの輪郭が、視覚的に浮き上がって立体的な造形物７Ａとして見ることができ、当該風力発電機が夜間稼働中には、垂直回転軸１と一体回転する点灯部材６Ａを点灯させることによって、該点灯部材６Ａに形成された動物造形物等の造形物４の輪郭が、視覚的に浮き上がって立体的な造形物７Ａ´として見ることができるから、該風力発電機の全体の美観が向上し、デザイン的に優れた外観を呈し、その設置される付近の環境に造形美を付与し、環境改善に貢献し、環境の良い場所に設置するのに相応しい形態のジャイロミル型の小型風力発電機を提供することができる。
【００１４】
請求項３に係る発明によれば、前記ブレード２，２Ａは、透明材料によって形成されてなるため、急速回転するブレード２，２Ａが、その透明性ゆえに視界から消えて、視覚上、立体的造形物７，７´，７Ａ，７Ａ´のみが浮き上がり状に表れて見え、これがために、より一層、該風力発電機に造形性を付与し、更にデザイン的に優れた垂直軸型風力発電機を提供することができる。
【００１５】
請求項４に係る発明によれば、前記点灯部材６，６Ａは、発光ダイオードによって形成されてなるため、消費電力を抑えることができ、従来の垂直軸型風力発電機の用途として用いられている例えば公園や学校あるいは住宅区域に設置される街灯の電源の電力を同時に供給することができる垂直軸型風力発電機を提供することができる。
【００１６】
請求項５に係る発明によれば、前記点灯部材６，６Ａに電力を供給する給電部８と、該給電部８に電力を供給するコントロール装置１５と、該コントロール装置１５に風力発電によって発生した電力を供給する発電機１２とをさらに備えてなるため、風力発電によって発生した電力を供給する発電機からの電力を一旦コントロール装置１５に供給することで、給電部８に電力を伝送するか否かをコントロールすることができ、無駄な電力を点灯部材６，６Ａに供給することがなく、効率的に点灯部材６，６Ａに電力を供給することができる垂直軸型発電機を提供することができる。
【００１７】
請求項６に係る発明によれば、前記コントロール装置１５は、バッテリー１５ｂを備えているため、昼間の余剰電力をバッテリー１５ｂに蓄電しておき、夜間になれば、該バッテリー１５ｂに蓄電した電力を給電部８に送出することができ、さらに効率的に点灯部材６，６Ａに電力を供給することができる垂直軸型発電機を提供することができる。
【００１８】
請求項７に係る発明によれば、前記コントロール装置１５は、前記点灯部材６，６Ａの点灯パターンを変化させることができる出力コントロール１５ｃを備えているため、点灯部材６，６Ａの点灯パターンをコントロールすることができるから、さらに風力発電機の全体の美観が向上し、デザイン的に優れた外観を呈し、その設置される付近の環境に造形美を付与し、環境改善に貢献し、環境の良い場所に設置するのに相応しい垂直軸型発電機を提供することができる。
【発明を実施するための最良の形態】
【００１９】
以下に本発明の好適な実施形態を図面に基づいて説明すると、図１〜３は、本発明の一実施形態を示すもので、図１は本発明の一実施形態のジャイロミル型垂直軸型風力発電機の斜視図であり、図２は同正面図、図３は同平面図である。図において、ジャイロミル型の垂直軸型風力発電機は、垂直回転軸１のまわりに、複数の縦方向のブレード２（図示では４枚）を設け、これら複数のブレード２が支持杆３を介して垂直回転軸１に一体に取り付けられて構成されている。
【００２０】
上記支持杆３は、鳥などの動物形状や草花などの植物形状等の、表現しようとする造形物４の輪郭を表す形状に形成した線状体５に形成され、該線状体５の片側面に点灯部材６が取り付けられている。そして、図示はしないが、点灯部材６の配線は線状体５の内部に配線されている。尚、図においては、前記線状体５の片側面に点灯部材６が取り付けられているが、線状体５の両面に取り付けてもよい。
【００２１】
また、垂直回転軸１から半径方向に伸びる支持杆３にブレード２を一体的に取り付けると共に、該支持杆３に線状体５を一体的に取り付けたものも、本発明では支持杆３が線状体５として形成されたものに含まれる。このように、支持杆３を線状に細い線状体５として形成するのは、できるだけ風の抵抗を受けないようにするためである。
【００２２】
このように、支持杆３を平面的な造形物４の輪郭を表す形状に形成した線状体５に形成した状態で、風力発電機を昼間に稼働し、垂直回転軸１を回転させることによって、平面的な造形物輪郭線状体５が前記垂直回転軸１のまわりを該回転軸１と一体回転することによって、該造形物輪郭線状体５が視覚上、浮き上がり状に立体的造形物７として表れるようになる。また、平面的な造形物輪郭線状体５の片側面に点灯部材６が取り付けられているから、風力発電機を夜間に稼働し、垂直回転軸１を回転させることによって、平面的な造形物輪郭線状体５に点灯部材６が取り付けられているから、点灯部材６を点灯させ、前記垂直回転軸１のまわりを該回転軸１と一体回転することによって、視覚上、浮き上がり状に立体的造形物７´として表れるようになる。また、さらに、点灯部材６を様々な色に点灯させることで、装飾効果、イルミネーション効果、宣伝効果等を発揮することができる。なお、点灯部材としては、点灯時の消費電力を抑えるため、消費電流が数ｍＡ〜５０ｍＡ程度の発光ダイオード（ＬＥＤ）が好ましい。
【００２３】
なお、ブレード２は、その表面に白色塗料を塗布し、造形物輪郭線状体５には黒色塗料を塗布する等して、立体的造形物７，７´，７Ａ，７Ａ´の背景となるブレード２，２Ａと立体的造形物７，７´，７Ａ，７Ａ´のコントラストが際立つようにすることが好ましい。
【００２４】
そして、ブレード２は、特に、透明材料、例えば、アクリル樹脂等の透明樹脂、あるいは強化ガラス等によって形成されることが、より好ましく、これによって、急速回転するブレード２，２Ａがその透明性ゆえに視界から消えて、視覚上、立体的造形物７，７´，７Ａ，７Ａ´のみが浮き上がり状に表れて見え、より一層、該風力発電機に造形性を付与し、デザイン的に優れた垂直型風力発電機として提供することができる。
【００２５】
これがために、風力発電機の全体の美観が向上し、デザイン的に優れた外観を呈することになり、環境の良い場所、例えば公園や学校あるいは住宅区域に設置される街灯１７の電源としてこの種の小型風力発電機が利用されることによって、その設置される付近の環境に造形美を付与し、環境改善に貢献することができる。
【００２６】
図４〜図７は、図３のＡ−Ａ´面、Ｂ−Ｂ´面に同一の造形物４、線状体５、及び点灯部材６を形成し、回転するブレード２を背景に、図４は風力発電機が昼間稼働中に、梟からなる立体的造形物７が浮き上がり状に視覚的に見える状態を示したものであり、図５は風力発電機が夜間稼働中に梟からなる立体的造形物７´が浮き上がり状に視覚的に見える状態を示したものである。図６は風力発電機が昼間稼働中に、小熊からなる立体的造形物７が浮き上がり状に視覚的に見える状態を示したものであり、図７は、風力発電機が夜間稼働中に小熊からなる立体的造形物７´が浮き上がり状に視覚的に見える状態を示したものである。
【００２７】
図８（ａ）及び図９（ａ）は、図３のＡ−Ａ´面に形成した造形物４、線状体５、及び点灯部材６が回転するブレード２を背景に、図８（ａ）は、風力発電機が昼間稼働中に、小鳥からなる立体的造形物７が浮き上がり状に視覚的に見える状態を示したものであり、図９（ａ）は、風力発電機が夜間稼働中に、小鳥からなる立体的造形物７´が浮き上がり状に視覚的に見える状態を示したものである。そして図８（ｂ）及び図９（ｂ）は、図３のＢ−Ｂ´面に形成した造形物４、線状体５、及び点灯部材６が回転するブレード２を背景に、図８（ｂ）は、風力発電機が昼間稼働中に、小鳥からなる立体的造形物７が浮き上がり状に視覚的に見える状態を示したものであり、図９（ｂ）は、風力発電機が夜間稼働中に、小鳥からなる立体的造形物７´が浮き上がり状に視覚的に見える状態を示したものである。図８（ａ）と図８（ｂ）の相違点及び図９（ａ）と図９（ｂ）の相違点は、図８及び図９より明らかなように、小鳥の羽がブレード２の高位置に設けられているか、低位置に設けられているかの違いである。このような相違点を設けることで、垂直回転軸１を回転させることにより、風力発電機が昼間稼働中に、図８（ａ）の小鳥と図８（ｂ）の小鳥からなる立体的造形物７が交互に浮き上がり状に視覚的に見える状態になるから、小鳥が羽ばたいているかのような視覚的効果を得ることができ、さらに、風力発電機が夜間稼働中には、図９（ａ）の小鳥と図９（ｂ）の小鳥からなる立体的造形物７´が交互に浮き上がり状に視覚的に見える状態になるから、昼間と同様に小鳥が羽ばたいているかのような視覚的効果を得ることができる。
【００２８】
図１０及び図１１も同様で、図１０（ａ）及び図１１（ａ）は図３のＡ−Ａ´面に形成した造形物４、線状体５、及び点灯部材６が回転するブレード２を背景に、図１０（ａ）は、風力発電機が昼間稼働中に、小鳥からなる立体的造形物７が浮き上がり状に視覚的に見える状態を示したものであり、図１１（ａ）は、風力発電機が夜間稼働中に、小鳥からなる立体的造形物７´が浮き上がり状に視覚的に見える状態を示したものである。そして、図１０（ｂ）及び図１１（ｂ）は、図３のＢ−Ｂ´面に形成した造形物４、線状体５、及び点灯部材６が回転するブレード２を背景に、風力発電機が昼間稼働中に、小鳥からなる立体的造形物７が浮き上がり状に視覚的に見える状態を示したものであり、風力発電機が夜間稼働中に、小鳥からなる立体的造形物７´が浮き上がり状に視覚的に見える状態を示したものである。これがために、垂直回転軸１の回転によって、風力発電機が昼間稼働中に、図１０（ａ）の小鳥と図１０（ｂ）の小鳥からなる立体的造形物７が交互に浮き上がり状に視覚的に見える状態になり、小鳥が羽ばたいているかのような視覚的効果を得ることができ、風力発電機が夜間稼働中には、図１１（ａ）の小鳥と図１１（ｂ）の小鳥からなる立体的造形物７´が交互に浮き上がり状に視覚的に見える状態になり、昼間と同様、小鳥が羽ばたいているかのような視覚的効果を得ることができる。
【００２９】
次に、点灯部材６を夜間に点灯させるための構成を図１２〜図１４を用いて説明すると、図１２は点灯部材６を夜間に点灯させるための本発明の一実施形態に係るジャイロミル型垂直軸型風力発電機の一実施形態を表した一部破断した正面図である。図に示すように、本発明の一実施形態に係るジャイロミル型垂直軸型風力発電機は、垂直回転軸１の下部に点灯部材６に電力を供給するための給電部８を設け、該給電部８の電力は、コントロール装置１５から電力線１４を通って発電機ターミナル１２ａを介して供給され、給電部８の下部には、スラスト荷重に対応した垂直回転軸１保持べアリング９を設け、該保持べアリング９の下部には、保持ベアリング９を支持するための軸受フレーム１０を設け、該軸受フレーム１０の下部には発電機１２と連結するためのカップリング１１を設け、該カップリング１１の下部には発電機１２が設けられ、該発電機１２が風力によって垂直回転軸１が回転することにより電力を発生させ、その電力は、タワー１３内部の電力線（図示せず）を通って、コントロール装置１５に供給されている。そして、コントロール装置１５は、上述した給電部８に電力を供給するほか、電力線１６を介して街灯１７に電力を供給している。このような構成をとることで、小型風力発電機が、従来利用されている例えば公園や学校あるいは住宅区域に設置される街灯１７の電源として利用することができ、さらに点灯部材６の点灯用の電力としても利用することができる。
【００３０】
さらに詳しく、図９及び図１０を用いて、給電部８及びコントロール装置１５について説明すると、図９は給電部８の断面図で、図１０はコントロール装置１５のブロック図である。
【００３１】
給電部８は、環状の電極取り付け体８ａと、環状の電極８ｂと、電力線８ｃと、カーボンブラシ８ｄと、コイルばね８ｅと、電極固定カバー８ｆと、断面Ｌ字状からなる８ｇと
、ボルト８ｈとを有している。環状の電極取り付け体８ａは、絶縁体からなり、垂直回転軸１の周方向に設けられており、該電極取り付け体８ａの表面には、周方向に通電性の良い環状の複数の銅バー（図示では３本）からなる電極８ｂを等間隔に設け、該電極８ｂには、点灯部材６に電力を供給するための電力線８ｃが接続されており、該電力線８ｃは垂直回転軸１内部に設けられている。
【００３２】
カーボンブラシ８ｄは、電極８ｂの数に応じて複数設け（図示では３つ）られ、各カーボンブラシ８ｄの一端にはカーボンブラシ８ｄを電極８ｂに向けて押圧するための、コイルばね８ｅを設け、該コイルばね８ｅの一端には、垂直回転軸１の回転により、カーボンブラシ８ｄ及びコイルばね８ｅが共に回転することを防ぐため、カーボンブラシ８ｄを断面Ｌ字状の絶縁体からなる電極取り付け体８ｇ内に摺動可能に固定するように電極固定カバー８ｆが設けられている。そして、断面Ｌ字状からなる電極取り付け体８ｇは、垂直回転軸１の回転により共に回転することを防ぐため、ボルト８ｈによって、給電部８内に固定されている。
【００３３】
前記電極固定カバー８ｆは、カーボンブラシ８ｄに電力を供給するための電力線１４が接続され、該電力線１４から供給された電力は、垂直回転軸１が回転することによって、通電性の良い環状の銅バーからなる電極８ｂがカーボンブラシ８ｄの先端面に摺接されることで、カーボンブラシ８ｄを介して電極８ｂに向けて供給される。そして、前記電極８ｂに供給された電力は、該電極８ｂに接続されている電力線８ｃを通って点灯部材６に供給される。尚、電極８ｂは環状に形成されているから、カーボンブラシ８ｄの先端面が常に電極８ｂに摺接されることとなり、点灯部材６に安定した電力を供給することができる。
【００３４】
コントロール装置１５は、充電自動スイッチ整流装置１５ａと、バッテリー１５ｂと、出力コントロール１５ｃと、ＤＣ／ＡＣ変換１５ｄとを有している。充電自動スイッチ整流装置１５ａでは、発電機１２から送出された交流電圧を１２Ｖ〜２４Ｖの直流電圧に変換して、昼間の余剰電力をバッテリー１５ｂに出力し、夜間になれば、該バッテリー１５ｂに蓄電した電力を充電自動スイッチ整流装置１５ａを介して、出力コントロール１５ｃに出力する。しかし、前記バッテリー１５ｂが夜間になっても未だ未充電の場合は、充電自動スイッチ整流装置１５ａから直接、出力コントロール１５ｃに直流電圧１２Ｖ〜２４Ｖが出力される。
【００３５】
前記出力コントロール１５ｃは、充電自動スイッチ整流装置１５ａから出力された直流電圧１２Ｖ〜２４ＶをＤＣ／ＡＣ変換１５ｄに出力し、且つ、点灯部材６の点灯パターンを変化させるように直流電圧１２Ｖ〜２４Ｖを給電部８に出力する。
【００３６】
前記ＤＣ／ＡＣ変換１５ｄは、直流電圧１２Ｖ〜２４Ｖを交流電圧１００Ｖに変換し、外部に出力する。この交流電圧１００Ｖは、例えば公園や学校あるいは住宅区域に設置される街灯１７の電源として使用される。
【００３７】
図１５及び図１６は、本発明の他の実施形態であるダリウス型の垂直軸型風力発電機の正面図であり、図１７は、同平面図である。図において、垂直回転軸１のまわりに、複数の縦方向のブレード２Ａを設け、これら複数のブレード２Ａが垂直回転軸１から半径方向に湾曲状に張り出してトロポスキエン（縄跳びの縄）状に形成され、その上下両端部が該回転軸１に一体に取り付けられてなるダリウス型の垂直軸型風力発電機において、前記垂直回転軸１に動物形状や植物形状等の、表現しようとする造形物４Ａの輪郭を表す形状に形成した線状体５Ａを一体的に取り付け、さらに、前記線状体５Ａに点灯部材６Ａを取り付けることにより、前記線状体５Ａが垂直回転軸１のまわりを該回転軸１と一体回転することによって、昼間には、造形物輪郭線状体５Ａが、視覚上、浮き上がり状に立体的造形物７Ａのように表れ、夜間には点灯部材６Ａを点灯させることにより、視覚上、浮き上がり状に立体的造形物７Ａ´のように表れるようにしたものであり、前記ジャイロミル型の垂直軸型風力発電機とは、線状体５Ａが垂直回転軸１に直接に取り付けられる点で相違するが、その他の構成については同様であるため説明は省略する。
【００３８】
尚、図示のように線状体５Ａがカップ状に形成されているものもあるが、これは風を受けて回転力を上げるためであり、このような作用をするカップ状の線状体５Ａも本発明では線状体５Ａの範囲に含まれるものである。
【図面の簡単な説明】
【００３９】
【図１】本発明の一実施形態のジャイロミル型垂直軸型風力発電機の斜視図である。
【図２】同正面図である。
【図３】同平面図である。
【図４】本発明の一実施形態によって視覚的に浮き上がり状に表れた立体的造形物の一例を示すものである。
【図５】本発明の一実施形態によって視覚的に浮き上がり状に表れた立体的造形物の一例を示すものである。
【図６】本発明の一実施形態によって視覚的に浮き上がり状に表れた立体的造形物の一例を示すものである。
【図７】本発明の一実施形態によって視覚的に浮き上がり状に表れた立体的造形物の一例を示すものである。
【図８】（ａ）本発明の一実施形態によって視覚的に浮き上がり状に表れた立体的造形物の一例を示すものである。（ｂ）本発明の一実施形態によって視覚的に浮き上がり状に表れた立体的造形物の一例を示すものである。
【図９】（ａ）本発明の一実施形態によって視覚的に浮き上がり状に表れた立体的造形物の一例を示すものである。（ｂ）本発明の一実施形態によって視覚的に浮き上がり状に表れた立体的造形物の一例を示すものである。
【図１０】（ａ）本発明の一実施形態によって視覚的に浮き上がり状に表れた立体的造形物の一例を示すものである。（ｂ）本発明の一実施形態によって視覚的に浮き上がり状に表れた立体的造形物の一例を示すものである。
【図１１】（ａ）本発明の一実施形態によって視覚的に浮き上がり状に表れた立体的造形物の一例を示すものである。（ｂ）本発明の一実施形態によって視覚的に浮き上がり状に表れた立体的造形物の一例を示すものである。
【図１２】本発明の一実施形態に係るジャイロミル型垂直軸型風力発電機の一実施形態を表した一部破断した正面図である。
【図１３】本発明に係る給電部の断面図である。
【図１４】本発明に係るコントロール装置のブロック図である。
【図１５】本発明の他の実施形態であるダリウス型の垂直軸型風力発電機の正面図を示すものである。
【図１６】本発明の他の実施形態であるダリウス型の垂直軸型風力発電機の正面図を示すものである。
【図１７】同平面図である。
【符号の説明】
【００４０】
１              垂直回転軸
２              ブレード
２Ａ            ブレード
３              支持杆
４              造形物
４Ａ            造形物
５              線状体
５Ａ            線状体
６              点灯部材
６Ａ            点灯部材
７              立体的造形物
７´          立体的造形物
７Ａ            立体的造形物
７Ａ´        立体的造形物
８              給電部
１２            発電機
１５            コントロール装置
１５ｂ          バッテリー
１５ｃ          出力コントロール
【図１】
0004832455.tif 000002
【図２】
0004832455.tif 000003
【図３】
0004832455.tif 000004
【図４】
0004832455.tif 000005
【図５】
0004832455.tif 000006
【図６】
0004832455.tif 000007
【図７】
0004832455.tif 000008
【図８】
0004832455.tif 000009
【図９】
0004832455.tif 000010
【図１０】
0004832455.tif 000011
【図１１】
0004832455.tif 000012
【図１２】
0004832455.tif 000013
【図１３】
0004832455.tif 000014
【図１４】
0004832455.tif 000015
【図１５】
0004832455.tif 000016
【図１６】
0004832455.tif 000017
【図１７】
0004832455.tif 000018